(57)【要約】      （修正有）【課題】上部へらや可動部材の湾曲形状に変形が生じているかどうかを簡単に見分けることができるアイラッシュカーラーの弾性体を提供するものである。【解決手段】湾曲形状の上部へら３２と接触して睫毛にカールを形成するための弾性体１０の上面において、上部へら３２の下面５０と接触して睫毛を挟むための挟持平面１４の両側に、挟持平面１４より相対的に高さの高い筋状のリブ１２を形成する。使用者はハンドル部を操作して、上部へら３２の下面５０と弾性体１０の挟持平面１４とが抵抗無く接触するかどうかを確認する。もし、上部へら３２の下面５０と弾性体１０の挟持平面１４との間にずれが生じていた場合に、上部へら３２の下面５０の一部が弾性体１０のリブ１２の上に乗り上げて、使用者に抵抗感や違和感を感じさせ、アイラッシュカーラーが適切な使用状態でないことを認識させる。【選択図】図３
0003147689.tif 000002
【実用新案登録請求の範囲】
【請求項１】
一対の支柱と、その一対の支柱に沿って上下方向に移動可能な湾曲状の可動部材と、前記一対の支柱上部に固定される湾曲状の上部へらと、その可動部材に取り付けられるものであって前記上部へらの下縁との間に睫毛を挟んで睫毛にカールを付与するための上面の長軸方向の中央位置に接合平面を形成した弾性体と、前記可動部材を前記一対の支柱に沿って上下に移動させるための操作手段とを備えたアイラッシュカーラーにおいて、前記弾性体の上面の前記接合平面の両側の長軸方向に前記接合平面より相対的に高い突起部を形成したことを特徴とするアイラッシュカーラーの弾性体。
【請求項２】
前記突起部が前記接合平面より相対的に高い筋状のリブであることを特徴とする請求項１記載のアイラッシュカーラーの弾性体。
【考案の詳細な説明】
【技術分野】
【０００１】
本考案は、アイラッシュカーラーにおいて睫毛を挟持する一方の部材である弾性体に関する。
【背景技術】
【０００２】
ハンドル部を操作することにより、睫毛全体を上下に挟んで、睫毛全体にカールを与えるアイラッシュカーラーは、従来からよく知られている。このアイラッシュカーラーは、近年では様々な改良が加えられ、例えば実用新案登録文献１にあるように、睫毛を簡単にしっかりとカールできるよう工夫が施されたものも開示されている。
【０００３】
【特許文献１】実用新案登録第３１４３４１０号公報（図１）
【０００４】
従来のアイラッシュカーラーを図５に基づいて説明する。従来のアイラッシュカーラーは主に、左右一対の支柱３０と、その一対の支柱の上端に固定される湾曲状の上部へら３２と、ハンドル部３４，３６の操作によって上下に移動するリンク腕３８と、そのリンク腕３８に固定され一対の支柱３０に沿って上下に移動可能な湾曲状の可動部材４０と、その可動部材４０の上に取り付けられる弾性体４２とから構成される。ハンドル部３４，３６とリンク腕３８とで操作手段を構成する。上部へら３２の湾曲状と可動部材４０の湾曲状とは、図５（ａ）のＡ方向から見て湾曲していると共に、図５（ｂ）のＢ方向から見ても湾曲しているものである。上部へら３２の湾曲状と可動部材４０の湾曲状は立体的な同一形状となっている。
【０００５】
図６に示すように、可動部材４０は上方が開口する断面コの字形状の長軸状のものである。弾性体４２は、短軸方向の断面（図６）において、下部４２ａと上部４２ｂとを一体に形成したものである。弾性体４２の下部４２ａの下端から上部４２ｂの上端までの長さはＨに設定してある。
【０００６】
このアイラッシュカーラーを使用する場合には、目の外側左右両端部に支柱３０を当てがい、上部へら３２の下面５０と弾性体４２の挟持平面４４との間に睫毛を挟み込んだ状態にして、ハンドル部３４，３６に指をかけて操作して可動部材４０を上部へら３２側に移動させ、睫毛を弾性体４２の挟持平面４４と上部へら３２の下面５０とで挟持することで、睫毛にカールを与えるものである。
【考案の開示】
【考案が解決しようとする課題】
【０００７】
アイラッシュカーラーが何かに衝突した場合や長期使用によって、上部へら３２や可動部材４０の湾曲形状が変形することがある。上部へら３２と可動部材４０との一方が変形すると、一度で睫毛が所定の形状にカールできなくなったり、睫毛が所望の形状にカールできなくなったりするという不具合が生じていた。
【０００８】
本考案は上記の点に鑑みてなされたもので、上部へらや可動部材の湾曲形状に変形が生じているかどうかを簡単に見分けることができるアイラッシュカーラーの弾性体を提供することを目的とするものである。
【課題を解決するための手段】
【０００９】
上記目的を達成するため本考案は、一対の支柱と、その一対の支柱に沿って上下方向に移動可能な湾曲状の可動部材と、前記一対の支柱上部に固定される湾曲状の上部へらと、その可動部材に取り付けられるものであって前記上部へらの下縁との間に睫毛を挟んで睫毛にカールを付与するための上面の長軸方向の中央位置に接合平面を形成した弾性体と、前記可動部材を前記一対の支柱に沿って上下に移動させるための操作手段とを備えたアイラッシュカーラーにおいて、前記弾性体の上面の前記接合平面の両側の長軸方向に前記接合平面より相対的に高い突起部を形成したことを特徴とするものである。本考案は、前記突起部が前記接合平面より相対的に高い筋状のリブであることを特徴とするものである。
【考案の効果】
【００１０】
本考案によれば、上部へらの下面の湾曲形状と可動部材の湾曲形状（弾性体の接合平面との湾曲形状）が異なっていれば、上部へらの下面が弾性体の突出部の上に乗り上げるので、アイラッシュカーラーの上部へらか可動部材の一方が変形していることが分かり、そのアイラッシュカーラーが適正な使用状態にないことを容易に識別することができる。不適正な場合には、睫毛が綺麗にカールできないので、アイラッシュカーラーの交換時期であることを使用者に認識させることができ、買い換えを促すことができる。
【考案を実施するための最良の形態】
【００１１】
アイラッシュカーラーの弾性体によって、アイラッシュカーラーが適正な使用状態にあるかどうかを簡単に見分けることができるようにしたものである。
【実施例１】
【００１２】
次に本考案を図面に基づいて説明する。図１は本考案に係るアイラッシュカーラーに用いる弾性体の斜視図、図２は図１の弾性体をアイラッシュカーラーの可動部材に取付けた状態を示す短軸方向の断面図である。図１または図２において、図５及び図６と同一符号は同一部材を示す。図１及び図２に示すように、ゴム等の柔軟な素材を使用する弾性体１０には、その上面の長軸方向の中央位置に、一定の間隔を開けた一対の突出部としての筋状のリブ１２を一体に形成する。リブ１２は、その断面を半円としたり、その断面の上端部を円弧としたりするのが望ましい。一対のリブ１２の間には、上部へら３２の下面５０とで睫毛を挟持するための挟持平面１４が形成されている。弾性体１０の底面と挟持平面１４のとの間の距離を従来と同様にＨに設定する。挟持平面１４の短軸方向の幅Ｅは上部へら３２の下面５０の幅ｅよりも大きく設定する。実際には、挟持平面１４の短軸方向の幅Ｂは約２ｍｍである。
【００１３】
本考案に係わる弾性体１０を取付けたアイラッシュカーラーでは、睫毛をカールする前に、使用者はハンドル部３４，３６を操作して、上部へら３２の下面５０と弾性体１０の挟持平面１４とが抵抗無く接触するかどうかを確認する。もし、上部へら３２の湾曲形状と弾性体１０を取付けた可動部材４０の湾曲形状との間にずれが生じていた場合に、図３に示すように、上部へら３２の下面５０の一部が弾性体１０のリブ１２の上に乗り上げて、ハンドル部３４，３６の操作に抵抗感や違和感が生じる。使用者がこの抵抗感や違和感を感じることによって、そのアイラッシュカーラーが不適正な使用状態になったことが分かる。なお、通常の使用時には、弾性体１０をそのまま用いる。突出部を筋状のリブ１２とすることで、睫毛へのカールの際の不要な変形を生じることがない。
【００１４】
一対の突出部を筋状のリブ１２とし、更にリブ１２の断面を半円としたり、リブ１２の断面の上端部を円弧としたりすることで、睫毛をカールする際に睫毛への所定のカール変形以外の余分な変形の影響を与えることがない。
【実施例２】
【００１５】
次に、本考案の他の実施例を図４に基づいて説明する。図４は図３相当図である。図４において、図１乃至図３と同一符号は同一部材を示す。弾性体２０には、その上面の長軸方向の中央位置に、一定の幅の挟持平面２２が凹んだ状態で形成されている。弾性体２０の上面において、凹んだ状態の挟持平面２２の両側は、挟持平面２２に対して相対的に高い突出部２４となっている。ここで、弾性体２０における底面から挟持平面２２までの間隔Ｈ（図４）は、弾性体１０における底面から挟持平面１４までの間隔Ｈ（図３）と同じ長さに設定する。また、弾性体１６の挟持平面２２の短軸方向の横幅Ｅは、弾性体１０の挟持平面１４の短軸方向の横幅Ｅと同一長さに設定する。
【００１６】
この実施例２においても、本考案に係わる弾性体２０を取付けたアイラッシュカーラーで睫毛をカールする前に、使用者はハンドル部３４，３６を操作して、上部へら３２の下面５０と弾性体２０の挟持平面２２とが抵抗無く接触するかどうかを確認する。もし、上部へら３２の湾曲形状と弾性体２０の湾曲形状との間にずれが生じていた場合に、上部へら３２の下面５０の一部が弾性体２０の突出部２４の上に乗り上げて、ハンドル部３４，３６の操作に抵抗感が違和感が生じる。この実施例２の突出部２４は実施例１のリブ１２に比べて横幅が広いので、抵抗感や違和感をより確実に感じることができる。それによって、アイラッシュカーラーが不適正な使用状態になったことが分かり、アイラッシュカーラーの交換を促すことになる。
【図面の簡単な説明】
【００１７】
【図１】本考案に係るアイラッシュカーラーの弾性体の斜視図である。
【図２】図１の弾性体をアイラッシュカーラーの可動部材に取付けた状態を示す短軸方向の断面図である。
【図３】上部へらの下面がリブに乗り上げた状態を示す断面図である。
【図４】本考案に係るアイラッシュカーラーの弾性体の他の実施例を示す断面図である。
【図５】(ａ)は本考案に係るアイラッシュカーラーの正面図、(ｂ)はその右側面図である。
【図６】従来のアイラッシュカーラーに使用する弾性体と可動部材の短軸方向の断面図である。
【符号の説明】
【００１８】
１０  弾性体
１２  リブ
１４  挟持平面
２０  弾性体
２２  挟持平面
２４  突出部
３０  支柱
３２  上部へら
３４  ハンドル部
３６  ハンドル部
３８  リンク腕
４０  可動部材
【図１】
0003147689.tif 000003
【図２】
0003147689.tif 000004
【図３】
0003147689.tif 000005
【図４】
0003147689.tif 000006
【図５】
0003147689.tif 000007
【図６】
0003147689.tif 000008